(57)【要約】【課題】シャッタダイヤルとは異なる別の操作部材によりシャッタ速度が微調整される撮像装置においては、発光装置が使用される場合に、設定されている微調整量をどのように扱うか考慮されていなかった。このため、フラッシュ使用前後においてシャッタ速度の不整合があった。【解決手段】操作位置によってシャッタ速度が指示される操作部材と、シャッタ速度を調整するための調整量が指示される調整部材と、発光装置の使用開始時に、ユーザにより指示されるシャッタ速度が発光装置の発光に同調可能な同調速度よりも速い場合には、その差分を加えて調整量を更新すると共に、同調速度を上限としてシャッタユニットを駆動する制御部とを備える撮像装置。【選択図】図５
2015075657.tif 000002
【特許請求の範囲】
【請求項１】
操作位置によってシャッタ速度が指示される操作部材と、
前記シャッタ速度を調整するための調整量が指示される調整部材と、
発光装置の使用開始時に、ユーザにより指示される前記シャッタ速度が前記発光装置の発光に同調可能な同調速度よりも速い場合には、その差分を加えて前記調整量を更新すると共に、前記同調速度を上限としてシャッタユニットを駆動する制御部と
を備える撮像装置。
【請求項２】
前記制御部は、前記発光装置の使用開始時に前記操作位置によって決定される指示速度が前記同調速度よりも速い場合に、前記調整量を更新すると共に、前記シャッタユニットを駆動する請求項１に記載の撮像装置。
【請求項３】
前記制御部は、前記差分が前記調整部材によって調整が許容される上限値を超える場合には、前記調整量を更新しない請求項２に記載の撮像装置。
【請求項４】
前記上限値は、前記操作部材によって指示できるシャッタ速度のステップ幅未満である請求項３に記載の撮像装置。
【請求項５】
前記制御部は、前記差分が前記調整部材によって調整が許容される上限値を超える場合には、前記発光装置の使用中は、前記調整部材による指示を受け付けない請求項２から４のいずれか１項に記載の撮像装置。
【請求項６】
前記制御部は、前記発光装置の使用中において前記調整部材が操作された場合に、前記操作に応じた値が反映された前記調整量と前記操作位置とによって決定される前記指示速度が前記同調速度よりも遅ければ、前記指示速度により前記シャッタユニットを駆動する請求項２から５のいずれか１項に記載の撮像装置。
【請求項７】
前記制御部は、前記発光装置の使用中において前記調整部材が操作された場合に、前記操作に応じた値が反映された前記調整量が前記調整部材によって調整が許容される上限値を超えなければ、前記値を加えて前記調整量を更新する請求項６に記載の撮像装置。
【請求項８】
前記発光装置は、前記撮像装置に着脱自在に取り付けられる外部ユニットであり、
前記制御部は、装着されていた前記発光装置が取り外された場合には、前記発光装置の装着時になされた前記調整部材の操作に基づいて、前記指示速度を決定する請求項２から７のいずれか１項に記載の撮像装置。
【請求項９】
前記制御部は、前記調整部材の操作が有効であれば、前記操作に応じた値を加えた前記調整量と前記操作位置とを用いて、前記指示速度を決定する請求項８に記載の撮像装置。
【請求項１０】
前記制御部は、前記調整部材の操作が無効であれば、前記操作に応じた値を加えていない前記調整量と前記操作位置とを用いて、前記指示速度を決定する請求項８または９に記載の撮像装置。
【請求項１１】
前記制御部は、装着されていた前記発光装置が取り外された場合に、前記差分を加えて前記調整量を更新する請求項８から１０のいずれか１項に記載の撮像装置。
【請求項１２】
前記発光装置は、前記撮像装置に着脱自在に取り付けられる外部ユニットであり、
前記制御部は、装着されていた前記発光装置が取り外された場合には、前記発光装置の装着時になされた前記調整部材の操作に応じた前記調整量をリセットする請求項２から７のいずれか１項に記載の撮像装置。
【請求項１３】
前記制御部は、前記発光装置の使用中において前記同調速度を変更する指示を受け付ければ、変更後の前記同調速度を上限として前記シャッタユニットを駆動する請求項２から１２のいずれか１項に記載の撮像装置。
【請求項１４】
前記制御部は、ＦＰ発光機能がオンに設定されている場合には、前記同調速度に制限されることなく、前記操作位置と既に指示された前記調整量とによって前記指示速度を決定する請求項２から１３のいずれか１項に記載の撮像装置。
【請求項１５】
操作位置によってシャッタ速度が指示される操作部材と、前記シャッタ速度を調整するための調整量が指示される調整部材とを備える撮像装置に用いられる制御プログラムであって、
発光装置の使用開始時に、ユーザにより指示される前記シャッタ速度が前記発光装置の発光に同調可能な同調速度よりも速い場合には、その差分を加えて前記調整量を更新する更新ステップ、前記同調速度を上限としてシャッタユニットを駆動する駆動ステップと
をコンピュータに実行させる制御プログラム。
【発明の詳細な説明】
【技術分野】
【０００１】
本発明は、撮像装置および制御プログラムに関する。
【背景技術】
【０００２】
シャッタ速度を設定するためのシャッタダイヤルが設けられた撮像装置が知られている（例えば、特許文献１参照）。
［先行技術文献］
［特許文献］
［特許文献１］  特開２０１１−１３３６８４号公報
【発明の概要】
【発明が解決しようとする課題】
【０００３】
シャッタダイヤルとは異なる別の操作部材によりシャッタ速度が微調整される撮像装置においては、発光装置が使用される場合に、設定されている微調整量をどのように扱うか考慮されていなかった。このため、フラッシュ使用前後においてシャッタ速度の不整合があった。
【課題を解決するための手段】
【０００４】
本発明の第１の態様における撮像装置は、操作位置によってシャッタ速度が指示される操作部材と、シャッタ速度を調整するための調整量が指示される調整部材と、発光装置の使用開始時に、ユーザにより指示されるシャッタ速度が発光装置の発光に同調可能な同調速度よりも速い場合には、その差分を加えて調整量を更新すると共に、同調速度を上限としてシャッタユニットを駆動する制御部とを備える。
【０００５】
本発明の第２の態様における制御プログラムは、操作位置によってシャッタ速度が指示される操作部材と、シャッタ速度を調整するための調整量が指示される調整部材とを備える撮像装置に用いられる制御プログラムであって、発光装置の使用開始時に、ユーザにより指示されるシャッタ速度が発光装置の発光に同調可能な同調速度よりも速い場合には、その差分を加えて調整量を更新する更新ステップ、同調速度を上限としてシャッタユニットを駆動する駆動ステップとをコンピュータに実行させる。
【０００６】
なお、上記の発明の概要は、本発明の特徴の全てを列挙したものではない。また、これらの特徴群のサブコンビネーションもまた、発明となりうる。
【図面の簡単な説明】
【０００７】
【図１】デジタルカメラとストロボユニットの概略を説明する図である。
【図２】ストロボユニットが装着されたデジタルカメラの構成を示す図である。
【図３】シャッタ速度に関する制御の一例を説明する図である。
【図４】シャッタ速度に関する制御の一例を説明する図である。
【図５】シャッタ速度に関する制御を示すフロー図である。
【図６】シャッタ速度に関する制御の他の例を説明する図である。
【図７】シャッタ速度に関する制御の他の例を説明する図である。
【発明を実施するための形態】
【０００８】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【０００９】
図１は、デジタルカメラ１０とストロボユニット５０の概略を説明する図である。図１（ａ）は、デジタルカメラ１０とストロボユニット５０の外観斜視図である。図１（ｂ）は、操作部材１０１の上視図である。デジタルカメラ１０は、レンズユニット３０が撮像装置としてのカメラユニット４０に装着されて構成されるレンズ交換式一眼レフカメラである。デジタルカメラ１０は、操作部材１０１、調整部材１０２、アクセサリーシュー１０３、表示部２０９を含んで構成される。
【００１０】
操作部材１０１は、カメラユニット４０の筐体上面に配置され、操作位置によってシャッタ速度を指示する。本実施形態においては、操作位置は１段刻みに設定されている。
【００１１】
調整部材１０２は、カメラユニット４０の背面側に配置され、操作位置によって指示されたシャッタ速度を調整するための調整量を指示する。本実施形態においては、調整量のステップ幅は１／３段である。調整量は、操作部材１０１のステップ幅、すなわち１段未満において許容される。つまり、操作位置によって指示されるシャッタ速度を基準に±２／３段の範囲で調整することができる。
【００１２】
ユーザは、操作部材１０１を操作することにより、シャッタ速度を１段刻みで大まかに設定することができる。操作位置によって指示されるシャッタ速度が１／２５０秒の場合には、例えば、図示するように、ユーザが選択し得るシャッタ速度が、表示部２０９である液晶モニタの長手方向に沿って順に「１／３２０…１／２５０…１／２００」のように表示される。すなわち、１／２５０を基準にして±１／３段である１／３２０、１／２００が表示される。ユーザは、調整部材１０２を操作することにより、操作部材１０１により設定されたシャッタ速度を１／３段刻みで微調整することができる。
【００１３】
アクセサリーシュー１０３は、カメラユニット４０の筐体上面に配置される。アクセサリーシューカバー１０４が取り外された状態で、発光装置としてのストロボユニット５０の取付け部５１をアクセサリーシュー１０３にスライドさせて取り付けることにより、ストロボユニット５０をデジタルカメラ１０に装着することができる。
【００１４】
詳しくは後述するが、デジタルカメラ１０の制御部は、ストロボユニット５０の装着時に、操作位置によって決定されるシャッタ速度である設定速度と、ストロボユニット５０の発光に同調可能な同調速度とを比較する。そして、比較結果に応じて、操作位置と既に指示された調整量とによって定まる指示速度を設定する。
【００１５】
図２は、ストロボユニット５０が装着されたデジタルカメラ１０の構成を示す図である。デジタルカメラ１０は、撮影光学系としての撮影レンズ２０を備える。撮影レンズ２０は、光軸２１に沿って入射する被写体光束を撮像素子１００へ導く。デジタルカメラ１０は、撮影レンズ２０および撮像素子１００に加えて、制御部２０１、Ａ／Ｄ変換回路２０２、内部メモリ２０３、駆動部２０４、画像処理部２０５、システムメモリ２０６、操作部２０８、表示部２０９、ＬＣＤ駆動回路２１０、シャッタユニット２１１、および駆動部２１２を備える。
【００１６】
撮影レンズ２０は、複数の光学レンズ群から構成され、シーンからの被写体光束をその焦点面近傍に結像させる。なお、図２では撮影レンズ２０を説明の都合上、瞳近傍に配置された仮想的な１枚のレンズで代表して表している。
【００１７】
シャッタユニット２１１は、先幕および後幕を有する、所謂フォーカルプレーンシャッタである。シャッタユニット２１１は、駆動部２１２により制御されて、設定されているシャッタ速度でシャッタを走行させる。
【００１８】
撮像素子１００は、撮影レンズ２０の焦点面近傍に配置されている。撮像素子１００は、二次元的に複数の画素が配列された、ＣＣＤ、ＣＭＯＳセンサ等のイメージセンサである。撮像素子１００は、駆動部２０４によりタイミング制御されて、受光面上に結像された被写体像を画像信号に変換してＡ／Ｄ変換回路２０２へ出力する。Ａ／Ｄ変換回路２０２は、撮像素子１００が出力する画像信号をデジタル画像信号に変換して内部メモリ２０３へ出力する。
【００１９】
画像処理部２０５は、内部メモリ２０３をワークスペースとして種々の画像処理を施し、画像データを生成する。そして、生成した画像データを画像ファイルとして記録媒体２００に記憶する。画像処理部２０５は、選択された画像フォーマットにしたがって画像データを調整する等の画像処理一般の機能も担う。具体的には、画像処理部２０５は、静止画としてＪＰＥＧファイル等を生成する場合には、色変換処理、ガンマ処理、ホワイトバランス処理等の画像処理を行った後に、適応離散コサイン変換等を施して圧縮処理をする。動画としてＭＰＥＧファイル等を生成する場合には、所定の画素数に縮小して生成した連続する静止画としてのフレーム画像に対して、フレーム内符号化、フレーム間符号化を施して圧縮処理をする。
【００２０】
ＬＣＤ駆動回路２１０は、例えば、図１に示したように、シャッタ速度調整用の画面を表示部２０９に表示する。また、ＬＣＤ駆動回路２１０は、各種の設定画面を表示部２０９に表示する。ユーザは、表示部２０９を確認しながら、各種の設定を行うことができる。
【００２１】
システムメモリ２０６は、デジタルカメラ１０の動作時に必要な定数、変数、プログラム等を、デジタルカメラ１０の非動作時にも失われないように記憶している。具体的には、後述するシャッタ速度に関する制御を記述した制御プログラムを記憶している。また、ストロボユニット５０の同調速度を記憶している。
【００２２】
操作部２０８は、図１に示した操作部材１０１、調整部材１０２を含む。操作部２０８は、シャッタ速度の設定に加えて、デジタルカメラ１０に関する各種設定にも用いられる。例えば、撮影モードの設定に用いられる。撮影モードとしてプログラムモード、シャッタ優先モード、絞り優先モード、マニュアルが含まれる。また、ＦＰ発光機能の設定にも用いられる。操作部２０８は、レリーズスイッチを含む。レリーズスイッチは、押下げ方向に２段階に検知できる押しボタンで構成されている。制御部２０１は、１段階目の押下げであるＳＷ１の検知により撮影準備動作であるＡＦ、ＡＥ等を実行し、２段階目の押下げであるＳＷ２の検知により撮像素子１００による被写体像の取得動作を実行する。
【００２３】
デジタルカメラ１０は、上記の画像処理における各々の要素も含めて、制御部２０１により直接的または間接的に制御される。制御部２０１は、定数、変数、プログラム等を適宜内部メモリ２０３に展開して、デジタルカメラ１０の制御に利用する。詳しくは後述するが、制御部２０１は、ストロボユニット５０の装着時に、操作位置によって決定される設定速度がストロボユニット５０の同調速度よりも速い場合には、その差分を加えて調整量を更新する。また、調整量の更新と共に、同調速度を上限として駆動部２１２を介してシャッタユニット２１１を駆動する。ユーザがストロボユニット５０を使用して撮影する場合に、同調速度を上限としてシャッタユニット２１１が駆動されるので、撮像素子１００の一部分が露光されない状況を回避することができる。制御部２０１は、ストロボユニット５０が取り外された場合には、ストロボユニット５０が装着されていた間の調整部材１０２による操作に応じて、指示速度を設定する。ストロボユニット５０は、制御部２０１によりタイミング制御されて、発光する。
【００２４】
続いて、ストロボユニット５０がデジタルカメラ１０に装着された場合、ストロボユニットが取り外された場合について、どのように調整量および指示速度が設定されるかを、図３および４を用いて具体的に説明する。図３および４を通して７つの例について説明する。
【００２５】
図３は、シャッタ速度に関する制御の一例を説明する図である。図３においては、図３（ａ）〜（ｅ）の５つの具体例を示す。図３（ａ）〜（ｅ）のそれぞれは、ストロボユニット５０の着脱の推移（図中左右方向）と、各状態における操作内容、操作位置、調整量、および指示速度（図中上下方向）とを示す。
【００２６】
図中の項目３０１の「ＳＢ状態」は、ストロボユニット５０が装着されているか否かを表す。「ＳＢ無し」は、ストロボユニット５０が取り外された状態を表し、「ＳＢ有り」は、ストロボユニット５０が装着された状態を表す。
【００２７】
図中の項目３０２の「操作」は、ユーザによる操作内容を表す。具体的には、「−」は、操作がされていないことを表し、「ＳＢ有効」は、ストロボユニット５０が有効に装着されたことを表す。「＋１／３シフト」は、調整部材１０２を介して＋１／３段シフトする操作がなされたことを表し、「−１／３シフト」は、調整部材１０２を介して−１／３段シフトする操作がなされたことを表す。
【００２８】
図中の項目３０３の「設定速度」は、操作部材１０１の操作位置により指示されるシャッタ速度を表し、図中の項目３０４の「調整量」は、調整部材１０２により指示される調整量を表し、図中の項目３０５の「指示速度」は、上述のように、操作位置と調整量とによって定まり、シャッタユニット２１１の制御に用いられる実行値としてのシャッタ速度を表す。
【００２９】
図３においては、項目３０１〜３０５で示したそれぞれの状態は、左から右に向かって時系列に表されている。例えば、図３（ａ）においては、「ＳＢ無し」→「ＳＢ有り」→「ＳＢ無し」→「ＳＢ有り」の順に推移する。
【００３０】
図３の説明においては、同調速度は１／２００秒に設定され、ＦＰ発光機能はオフに設定されている場合を想定する。また、設定速度は、ストロボユニット５０の着脱によらず、１／２５０秒に設定されている。
【００３１】
図３（ａ）に示す具体例を説明する。まず、ストロボユニット５０がデジタルカメラ１０に装着される前の状況、すなわち「ＳＢ無し」について説明する。図示するように、「操作」は「−」である。調整部材１０２による調整はなされておらず、「調整量」は０である。よって、「指示速度」は、設定速度として設定されている通り、１／２５０秒である。
【００３２】
次に、ストロボユニット５０がデジタルカメラ１０に装着された場合、すなわち「ＳＢ有り」について説明する。ストロボユニット５０が装着されたので、「操作」は「ＳＢ有効」になっている。調整部材１０２による調整はなされておらず、「調整量」は０のままである。ここで、本実施形態においては、設定速度である１／２５０秒と同調速度である１／２００秒との差分である＋１／３段を制約量として潜在的なシフトと捉える。制約量の取り扱いについては後述する。ストロボユニット５０がデジタルカメラ１０に装着されると、制御部２０１は、設定速度が同調速度よりも速く、制約量が調整量よりも大きい場合には、同調速度を指示速度として設定する。設定速度である１／２５０秒は、同調速度である１／２００秒よりも速く、制約量である＋１／３段は、調整量である０よりも大きいので、制御部２０１は、１／２００秒を指示速度として設定する。
【００３３】
その後、「操作」が「＋１／３シフト」になっている。すなわち、ユーザは、＋１／３段シフトさせるように調整部材１０２を操作している。この調整操作は、指示速度を遅くする方向へのシフト操作であるので、調整操作に応じて指示速度が調整されたとしても、調整後の指示速度は、同調速度よりも遅くなる。したがって、制御部２０１は、上記の調整操作を有効な操作として受け入れる。具体的には、制御部２０１は、指示速度である１／２００秒を＋１／３段シフトさせて、１／１６０秒を新たな指示速度として設定する。ここで、「調整量」は＋１／３段ではなく、＋１／３段に上述した制約量である＋１／３段を加えて、＋２／３段となる。
【００３４】
次に、ストロボユニット５０がデジタルカメラ１０から取り外された後の状況、すなわち「ＳＢ無し」について説明する。図示するように、「操作」は「−」である。「調整量」は＋２／３段のままである。すなわち、「調整量」は、ストロボユニット５０の取り外しの前後において維持される。「設定速度」は１／２５０秒に設定されているので、「指示速度」は、１／２５０秒に調整量である＋２／３段シフトさせた１／１６０秒となる。
【００３５】
最後に、ストロボユニット５０がデジタルカメラ１０に再度装着された場合、すなわち「ＳＢ有り」について説明する。ストロボユニット５０が装着されたので、「操作」は「ＳＢ有効」になっている。「調整量」は、＋２／３段のままである。すなわち、「調整量」は、ストロボユニット５０の装着の前後において維持される。設定速度である１／２５０秒は、同調速度である１／２００秒よりも速いものの、制約量である＋１／３段は、調整量である＋２／３段よりも小さい。この場合には、「指示速度」は、同調速度に設定されるのではなく、調整量を優先して、１／２５０秒に調整量である＋２／３段シフトさせた１／１６０秒となる。
【００３６】
図３（ｂ）に示す具体例を説明する。まず、ストロボユニット５０がデジタルカメラ１０に装着される前の状況について説明する。図示するように、この例においては、「操作」は「＋１／３シフト」になっている。すなわち、調整部材１０２による調整が既になされており、「調整量」は＋１／３段になっている。よって、「指示速度」は、設定速度である１／２５０秒を＋１／３段シフトさせた１／２００秒となる。
【００３７】
次に、ストロボユニット５０がデジタルカメラ１０に装着された場合について説明する。「操作」は「ＳＢ有効」になっている。「調整量」は＋１／３段のままである。設定速度である１／２５０秒は、同調速度である１／２００秒よりも速いものの、制約量である＋１／３段は、調整量である＋１／３段と同一である。この場合には、すでに設定されている指示速度を踏襲する。すなわち、「指示速度」は１／２００秒である。その後、「操作」が「−１／３シフト」になっている。すなわち、ユーザは、−１／３段シフトさせるように調整部材１０２を操作している。この場合に、仮に指示速度１／２００秒を−１／３段シフトさせると、指示速度は１／２５０秒となり、同調速度よりも速くなってしまう。そこで、制御部２０１は、調整部材１０２による操作を受け付けない。つまり、調整部材１０２による操作を無効な操作として扱う。したがって、「調整量」は＋１／３段のままであり、「指示速度」は１／２００秒のままである。その後、「操作」が「＋１／３シフト」になっている。すなわち、ユーザは、さらに＋１／３段シフトさせるように調整部材１０２を操作している。この場合には、制御部２０１は、調整部材１０２による操作を受け入れる。したがって、「調整量」は＋２／３段になり、「指示速度」は１／１６０秒となる。なお、図３（ａ）に示したように、ストロボユニット５０がデジタルカメラ１０に装着される前の段階で何ら操作がなされていない場合においては、装着後に無効な操作がなされてとしても、この段階では制約量を調整量に加算せずに、有効な操作がなされた段階で初めて制約量を調整量に加算する。
【００３８】
最後に、ストロボユニット５０がデジタルカメラ１０から取り外された後の状況について説明する。「操作」は「−」である。「調整量」は＋２／３段のままである。設定速度は１／２５０秒に設定されているので、「指示速度」は、１／２５０秒に調整量である＋２／３段シフトさせた１／１６０秒となる。
【００３９】
図３（ｃ）に示す具体例を説明する。まず、ストロボユニット５０がデジタルカメラ１０に装着される前の状況について説明する。この状況は、図３（ａ）と同一である。すなわち、「操作」は「−」であり、「調整量」は０であり、「指示速度」は１／２５０秒である。
【００４０】
次に、ストロボユニット５０がデジタルカメラ１０に装着された場合について説明する。ストロボユニット５０が装着されたので、「操作」は「ＳＢ有効」になっている。調整部材による調整はなされておらず、「調整量」は０のままである。ただし、上述のように、＋１／３段を制約量として扱う。図３（ａ）で説明したように、ストロボユニット５０がデジタルカメラ１０に装着されると、制御部２０１は、１／２００秒を指示速度として設定する。その後、ユーザは、−１／３段シフトさせるように調整部材１０２を操作している。この場合には、図３（ｂ）で説明したように、制御部２０１は、調整部材１０２による指示を受け付けない。そして、制御部２０１は、調整部材１０２による操作を無効な操作として扱う場合には、制約量を調整量に加算しない。すなわち、「調整量」は０のままである。
【００４１】
最後に、ストロボユニット５０がデジタルカメラ１０から取り外された後の状況について説明する。「操作」は「−」であり、「調整量」は０である。設定速度は１／２５０秒に設定されているので、「指示速度」は、設定速度として設定されている通り、１／２５０秒となる。
【００４２】
図３（ｄ）に示す具体例を説明する。まず、ストロボユニット５０がデジタルカメラ１０に装着される前の状況について説明する。この状況は、図３（ａ）と同一である。すなわち、「操作」は「−」であり、「調整量」は０であり、「指示速度」は１／２５０秒である。
【００４３】
次に、ストロボユニット５０がデジタルカメラ１０に装着された場合について説明する。この状況は、図３（ｃ）と同一である。すなわち、「操作」は「ＳＢ有効」になっており、「調整量」は０のままであり、「指示速度」は１／２００秒である。
【００４４】
その後、「操作」が「＋１／３シフト」になっている。すなわち、ユーザは、＋１／３段シフトさせるように調整部材１０２を操作している。この場合には、制御部２０１は、上記の調整操作を有効な操作として受け入れる。すなわち、「調整量」は＋１／３段に制約量である＋１／３段を加えて＋２／３段となり、「指示速度」は１／１６０秒となる。その後、「操作」が「−１／３シフト」になっている。すなわち、ユーザは、さらに−１／３段シフトさせるように調整部材１０２を操作している。指示速度である１／１６０秒が−１／３段シフトされたとしても、指示速度は、同調速度である１／２００秒と同一である。したがって、制御部２０１は、上記の調整操作を有効な操作として受け入れる。結果として、「指示速度」は、１／２００秒となる。また、「調整量」は＋１／３段となる。
【００４５】
最後に、ストロボユニット５０がデジタルカメラ１０から取り外された後の状況について説明する。「操作」は「−」であり、「調整量」は＋１／３段のままである。設定速度は１／２５０秒に設定されているので、「指示速度」は、１／２５０秒に調整量である＋１／３段シフトさせた１／２００秒となる。
【００４６】
図３（ｅ）に示す具体例を説明する。まず、ストロボユニット５０がデジタルカメラ１０に装着される前の状況について説明する。図示するように、この例においては、「操作」は「−１／３シフト」になっている。すなわち、調整部材１０２による調整が既になされており、「調整量」は−１／３段になっている。よって、「指示速度」は、設定速度である１／２５０秒を−１／３段シフトさせた１／３２０秒となる。
【００４７】
次に、ストロボユニット５０がデジタルカメラ１０に装着された場合について説明する。ストロボユニット５０が装着されたので、「操作」は「ＳＢ有効」になっている。「調整量」は−１／３段のままである。ただし、上述のように、＋１／３段を制約量として扱う。ストロボユニット５０がデジタルカメラ１０に装着されると、制御部２０１は、１／２００秒を指示速度として設定する。
【００４８】
その後、「操作」が「＋１／３シフト」になっている。すなわち、ユーザは、＋１／３段シフトさせるように調整部材１０２を操作している。制御部２０１は、上記の調整操作を有効な操作として受け入れる。したがって、「指示速度」は１／１６０秒となる。ここで、「調整量」は、−１／３段に有効な操作である＋１／３段を加えて０段になるのではなく、制約量である＋１／３段をさらに加えて、＋１／３段となる。その後、「操作」が「−１／３シフト」になっている。すなわち、ユーザは、さらに−１／３段シフトさせるように調整部材１０２を操作している。指示速度である１／１６０秒が−１／３段シフトされたとしても、指示速度は、同調速度である１／２００秒と同一である。したがって、制御部２０１は、上記の調整操作を有効な操作として受け入れる。結果として、「調整量」は０となり、「指示速度」は１／２００秒となる。
【００４９】
最後に、ストロボユニット５０がデジタルカメラ１０から取り外された後の状況について説明する。図３（ｃ）で説明したように、「操作」は「−」であり、「調整量」は＋１／３段であり、「指示速度」は１／２００秒である。
【００５０】
以上のように、本実施形態においては、制御部２０１は、ストロボユニット５０がデジタルカメラ１０に装着された場合に、操作位置によって決定される指示速度が同調速度よりも速い場合には、その差分を潜在的なシフトとして調整量と同等に扱う。すなわち、制御部２０１は、ユーザが実際には調整部材１０２を操作していなくても、あたかも操作されたかのように、上記の差分を調整量と同等に扱う。ただし、制御部２０１は、潜在的なシフトを直ちに調整量に反映させるのではなく、その後の調整部材１０２による操作、ストロボユニット５０装着前の調整量に応じて、調整量に反映させるかを決定する。以上により、ストロボユニット５０の使用前後においてシャッタ速度の不整合を回避することができる。
【００５１】
図４は、シャッタ速度に関する制御の一例を説明する図である。図４においては、図４（ａ）、（ｂ）の２つの具体例を示す。具体的には、図３と同様に、ストロボユニット５０の着脱の推移と、各状態における操作内容、操作位置、調整量、および指示速度とを示す。図４の説明においては、図３の説明と同様に、ＦＰ発光機能はオフに設定されている場合を想定する。
【００５２】
図中の各項目は、図３で説明した通りである。図４（ａ）においては、同調速度は１／２００秒に設定されている。設定速度は、ストロボユニット５０の着脱によらず、１／１２５秒に設定されている。図４（ｂ）においては、同調速度は１／６０秒に設定されている。設定速度は、ストロボユニット５０の着脱によらず、１／２５０秒に設定されている。
【００５３】
図４（ａ）に示す具体例を説明する。まず、ストロボユニット５０がデジタルカメラ１０に装着される前の状況について説明する。図示するように、この例においては、「操作」は「−１／３シフト」になっている。すなわち、調整部材１０２による調整が既になされており、「調整量」は−１／３段になっている。設定速度は、１／１２５秒に設定されているので、「調整速度」は、設定速度である１／１２５秒を−１／３段シフトさせた１／１６０秒となる。
【００５４】
次に、ストロボユニット５０がデジタルカメラ１０に装着された場合について説明する。「操作」は「ＳＢ有効」になっている。設定速度が同調速度よりも遅いので、ストロボユニット５０がデジタルカメラ１０に装着された後も、１／１６０秒のままである。その後、「操作」が「＋２／３シフト」になっている。すなわち、ユーザは、＋２／３段シフトさせるように調整部材１０２を操作している。この場合には、制御部２０１は、上記の調整操作を有効な操作として受け入れる。すなわち、「指示速度」は１／１００秒となる。また、「調整量」は＋１／３段となる。
【００５５】
図４（ｂ）に示す具体例を説明する。まず、ストロボユニット５０がデジタルカメラ１０に装着される前の状況について説明する。この状況は、図３（ａ）と同一である。すなわち、「操作」は「−」であり、「調整量」は０であり、「指示速度」は１／２５０秒である。
【００５６】
次に、ストロボユニット５０がデジタルカメラ１０に装着された場合について説明する。「操作」は「ＳＢ有効」になっている。調整部材１０２による調整はなされておらず、「調整量」は０のままである。ストロボユニット５０がデジタルカメラ１０に装着されると、制御部２０１は、１／６０秒を指示速度として設定する。設定速度と同調速度との差は、調整部材１０２による調整可能範囲よりも大きいので、制御部２０１は、この差分を制約量として調整量に反映させない。
【００５７】
その後、「操作」が「＋１／３シフト」になっている。すなわち、ユーザは、＋１／３段シフトさせるように調整部材１０２を操作している。しかしながら、上述のように、指示速度と同調速度との差が調整部材１０２による調整可能範囲よりも大きいので、制御部２０１は、ユーザにより調整量を操作する操作がなされたとしても、この操作を受け付けない。したがって、「指示速度」は１／６０秒のままであり、「調整量」は０のままである。その後、「操作」が「−１／３シフト」になっている。すなわち、ユーザは、さらに−１／３段シフトさせるように調整部材１０２を操作している。この場合も、同様の理由によって、制御部２０１は、操作を受け付けない。したがって、「指示速度」は１／６０秒のままであり、「調整量」は０のままである。
【００５８】
最後に、ストロボユニット５０がデジタルカメラ１０から取り外された後の状況について説明する。「操作」は「−」であり、「調整量」は０である。設定速度は１／２５０秒に設定されているので、指示速度は１／２５０秒となる。
【００５９】
図５は、シャッタ速度の調整に係る処理の一例を示すフロー図である。本フローは、撮影モードがプログラムモード、シャッタ優先モードおよび絞り優先モードのいずれかに設定されている状態において、制御部２０１がデジタルカメラ１０の電源がオンされたことを検知することによって開始される。なお、ユーザは、任意のタイミングにおいて、レリーズボタンを押下することができる。制御部２０１は、レリーズボタンの押下を検知すると、その時点で設定されている指示速度を用いて、割り込み処理として撮影動作を実行する。
【００６０】
制御部２０１は、ユーザにより調整操作がなされたかを判定する（ステップＳ１０１）。制御部２０１は、調整操作がなされたと判定すれば（ステップＳ１０１でＹｅｓ）、調整量を更新する（ステップＳ１０２）。デジタルカメラ１０の電源がオンされた後の一度目の操作であれば、調整量は、ステップＳ１０１における調整操作に応じた調整量、すなわちカレントの調整量そのものとなる。例えば、図３（ｂ）で示したように、ユーザが＋１／３段シフトするように操作した場合には、調整量は、＋１／３段となる。二度目以降の操作であれば、ステップＳ１０１における調整操作に応じた調整量、すなわちカレントの調整量を直前の調整量に加算して新たな調整量とする。
【００６１】
制御部２０１は、調整量の更新に続けて指示速度を更新する（ステップＳ１０３）。具体的には、操作部材１０１の操作位置によって指示されるシャッタ速度に、更新された調整量を加算する。例えば、図３（ｂ）で示したように、シャッタ速度が操作部材１０１により１／２５０秒に指示されていれば、１／２５０秒を＋１／３段シフトさせて１／２００秒とする。
【００６２】
一方で、制御部２０１は、調整操作がなされていないと判定すれば（ステップＳ１０１でＮｏ）、操作位置により指示されるシャッタ速度と調整量から指示速度を設定する。例えば、図３（ｂ）で示したように、シャッタ速度が操作部材１０１により１／２５０秒に指示されており、かつ、調整量が＋２／３段に設定されていれば、制御部２０１は、１／２５０秒を＋２／３段シフトさせて１／１６０秒とする。
【００６３】
制御部２０１は、ストロボユニット５０がデジタルカメラ１０に装着されたかを判定する（ステップＳ１０５）。例えば、ストロボユニット５０との通信が確立したかを判定することにより、ストロボユニット５０が装着されたかを判定することができる。
【００６４】
制御部２０１は、ストロボユニット５０がデジタルカメラ１０に装着されたと判定すれば（ステップＳ１０５でＹｅｓ）、設定速度が同調速度よりも速いか判定する（ステップＳ１０６）。そして、設定速度が同調速度よりも速いと判定すれば（ステップＳ１０６でＹｅｓ）、制約量を設定速度と同調速度の差に設定する（ステップＳ１０７）。例えば、図３で示したように、シャッタ速度が操作部材１０１により１／２５０秒に指示されており、同調速度が１／２００秒であれば、制御部２０１は、＋１／３段を制約量として設定する。
【００６５】
制御部２０１は、制約量が調整量よりも大きいかを判定する（ステップＳ１０８）。制約量が調整量よりも大きいと判定すれば（ステップＳ１０８でＹｅｓ）、制約量を調整量と同等に扱う（ステップＳ１０９）。具体的には、後述するステップＳ１１５において制約量を加味して調整量を更新する。制御部２０１は、指示速度を同調速度に設定する（ステップＳ１１０）。例えば、図３で示したように、シャッタ速度が操作部材１０１により１／２５０秒に指示されており、同調速度が１／２００秒であれば、制御部２０１は、指示速度を１／２００秒に設定する。
【００６６】
制御部２０１は、設定速度が同調速度以下であると判定すれば（ステップＳ１０６でＮｏ）、指示速度を同調速度に設定することなく、制約量を０に設定する（ステップＳ１０９）。例えば、図４（ａ）で示したように、シャッタ速度が操作部材１０１により１／１２５秒に指示されており、同調速度が１／２００秒であれば、制御部２０１は、指示速度を同調速度に設定することなく、制約量を０に設定する。また、制約量が調整量以下であると判定すれば（ステップＳ１０８でＮｏ）、指示速度が同調速度に設定されることなく、ステップＳ１１２に移行する。
【００６７】
指示速度を同調速度に設定した後、制約量を０に設定した後、または、制約量が調整量以下であると判定されれば、制御部２０１は、調整可能範囲が制約量よりも大きいかを判定する（ステップＳ１１２）。調整可能範囲が制約量よりも大きいと判定すれば（ステップＳ１１２でＹｅｓ）、ユーザにより調整操作がなされたかを判定する（ステップＳ１１３）。ユーザにより調整操作がなされたと判定すれば（ステップＳ１１３でＹｅｓ）、調整操作に応じた調整量を指示速度に加算した場合に、指示速度が同調速度よりも速くなるかを判定する（ステップＳ１１４）。指示速度が同調速度以下になると判定すれば（ステップＳ１１４でＮｏ）、調整操作に応じた調整量を直近の調整量に加えた場合に、加算後の調整量が調整可能範囲を超えるかを判定する（ステップＳ１１５）。加算後の調整量が調整可能範囲を超えないと判定すれば（ステップＳ１１５でＮｏ）、制御部２０１は、ステップＳ１１１の調整操作を有効な操作として受け入れる。すなわち、制約量を加味して調整量を更新すると共に（ステップＳ１１６）、指示速度を更新する（ステップＳ１１７）。
【００６８】
制御部２０１は、調整可能範囲が制約量以下であると判定すれば（ステップＳ１１２でＮｏ）、ユーザにより調整操作がなされたとしても、調整操作を受け付けない（ステップＳ１１８）。そして、調整量および指示速度を更新することなく、後述するステップＳ１１９に移行する。
【００６９】
制御部２０１は、ユーザにより調整操作がなされていないと判定すれば（ステップＳ１１３でＮｏ）、ステップＳ１１９に移行する。同様に、制御部２０１は、指示速度が同調速度よりも速くなると判定すれば（ステップＳ１１４でＹｅｓ）、ステップＳ１１９に移行し、加算後の調整量が調整可能範囲を超えると判定すれば（ステップＳ１１５でＹｅｓ）、ステップＳ１１９に移行する。制御部２０１は、上記の差分が調整部材１０２によって調整が許容される上限値を超える場合には、調整量を更新しないので、同調速度を上限としてシャッタユニット２１１を駆動することができる。
【００７０】
制御部２０１は、ストロボユニット５０がデジタルカメラ１０から脱離されたかを判定する（ステップＳ１１９）。ストロボユニット５０がデジタルカメラ１０から脱離されていないと判定すれば（ステップＳ１１９でＮｏ）、ステップＳ１１３に移行する。ストロボユニット５０がデジタルカメラ１０から脱離されたと判定すれば（ステップＳ１１９でＹｅｓ）、ユーザにより撮影モードをマニュアルに切り替える操作がなされたかを判定する（ステップＳ１２０）。マニュアルに切り替える操作がなされていないと判定すれば（ステップＳ１２０でＮｏ）、ステップＳ１０１に移行する。マニュアルに切り替える操作がなされたと判定すれば（ステップＳ１２０でＹｅｓ）、一連の処理を終了する。
【００７１】
本実施形態によれば、撮影モードがプログラムモードまたは絞り優先モードに設定されている場合に限らず、シャッタ優先モードに設定されている場合であっても、ストロボユニット５０が装着されれば、シャッタ速度を同調速度に制限することができる。これにより、シャッタ優先モードに設定されていても、撮像素子１００の全体に露光することができる。
【００７２】
図６は、シャッタ速度に関する制御の他の例を説明する図である。具体的には、図３と同様に、ストロボユニット５０の着脱の推移と、各状態における操作内容、操作位置、調整量、および指示速度とを示す図である。図６においては、図６（ａ）〜（ｄ）の４つの具体例を示す。図６の説明においては、図３の説明と同様に、ＦＰ発光機能はオフに設定されている場合を想定する。図中の各項目は、図３で説明した通りである。
【００７３】
図６（ａ）に示す具体例を説明する。ここでは、主に、制約量を調整量に加算するタイミングについて説明する。図６（ａ）においては、同調速度は１／２００秒に設定されている。設定速度は、ストロボユニット５０の着脱によらず、１／２５０秒に設定されている。まず、ストロボユニット５０がデジタルカメラ１０に装着される前の状況について説明する。この状況は、図３（ａ）と同一である。すなわち、「操作」は「−」であり、「調整量」は０であり、「指示速度」は１／２５０秒である。
【００７４】
次に、ストロボユニット５０がデジタルカメラ１０に装着された場合について説明する。「操作」は「ＳＢ有効」になっている。調整部材１０２による調整はなされておらず、「調整量」は０のままである。ただし、上述のように、＋１／３段を制約量として扱う。図３（ａ）で説明したように、ストロボユニット５０がデジタルカメラ１０に装着されると、制御部２０１は、１／２００秒を指示速度として設定する。その後、「操作」が「＋１／３シフト」になっている。すなわち、ユーザは、＋１／３段シフトさせるように調整部材１０２を操作している。制御部２０１は、上記の調整有効な操作として受け入れる。したがって、「指示速度」は１／１６０秒となる。ここで、この例においては、「調整量」は、＋１／３段に制約量である＋１／３段を加えて＋２／３段とならずに、調整操作に応じた＋１／３段となる。そして、ストロボユニット５０がデジタルカメラ１０から取り外された場合に、制御部２０１は、調整量に制約量を加算する。すなわち、「調整量」は＋２／３段となる。ストロボユニット５０がデジタルカメラ１０に再度装着された場合については、図３（ａ）と同一である。
【００７５】
図６（ｂ）に示す具体例を説明する。設定速度は、ストロボユニット５０の着脱によらず、１／１０００秒に設定されている。まず、ストロボユニット５０がデジタルカメラ１０に装着される前の状況について説明する。この状況においては、同調速度は１／２００秒に設定されている。図示するように、この例においては、「操作」は「−１／３シフト」になっている。すなわち、調整部材１０２による調整が既になされており、「調整量」は−１／３段になっている。設定速度は、１／１０００秒に設定されている。よって、「指示速度」は、設定速度である１／１０００秒を−１／３段シフトさせた１／８００秒となる。
【００７６】
次に、ストロボユニット５０がデジタルカメラ１０に装着された場合について説明する。「操作」は「ＳＢ有効」になっている。調整部材１０２による調整はなされておらず、「調整量」は−１／３段のままである。ストロボユニット５０がデジタルカメラ１０に装着されると、制御部２０１は、１／２００秒を指示速度として設定する。設定速度と同調速度との差は、調整部材１０２による調整可能範囲よりも大きいので、制御部２０１は、この差分を制約量として調整量に反映させない。その後、「操作」は「同調速度変更」になっている。すなわち、ユーザは、同調秒時を１／２００秒から１／１００秒に変更する操作をしている。この場合には、同調速度は、操作に従って、１／１００秒となる。「調整量」は−１／３段のままである。
【００７７】
図６（ｃ）に示す具体例を説明する。ストロボユニット５０がデジタルカメラ１０に装着される前の状況、およびストロボユニット５０がデジタルカメラ１０に装着された状況については、図６（ｂ）と同一である。ストロボユニット５０がデジタルカメラ１０に装着された後、「操作」は「同調速度変更（ＦＰ  ＯＮ）」になっている。すなわち、ユーザは、ＦＰ発光機能をオンにする操作をしている。この場合には、同調速度の制限は解除される。すなわち。指示速度は、設定速度である１／１０００秒を−１／３段シフトさせた１／８００秒となる。
【００７８】
図６（ｄ）に示す具体例を説明する。図６（ｄ）においては、同調速度は１／２００秒に設定されている。まず、ストロボユニット５０がデジタルカメラ１０に装着される前の状況について説明する。「操作」は「＋１／３シフト」になっている。すなわち、調整部材１０２による調整が既になされており、「調整量」は＋１／３段になっている。設定速度は、１／４０００秒に設定されている。よって、指示速度は、１／４０００秒を＋１／３段シフトさせた１／３２００秒となる。
【００７９】
次に、ストロボユニット５０がデジタルカメラ１０に装着された場合について説明する。「操作」は「ＳＢ有効」になっている。「調整量」は＋１／３段のままである。ストロボユニット５０がデジタルカメラ１０に装着されると、制御部２０１は、指示速度を１／２００秒に設定する。
【００８０】
次に、ストロボユニット５０がデジタルカメラ１０から取り外された後の状況について説明する。「操作」は「−」である。「調整量」は、＋１／３段のままである。設定速度は、１／４０００秒に設定されている。よって、指示速度は、１／４０００秒を＋１／３段シフトさせた１／３２００秒となる。
【００８１】
最後に、ストロボユニット５０がデジタルカメラ１０に再度装着された場合について説明する。「操作」は「ＳＢ有効」になっている。「調整量」は＋１／３段のままである。ストロボユニット５０がデジタルカメラ１０に装着されると、上述のように、指示速度は１／２００秒となる。設定速度と同調速度の差分は制約量として調整量には反映されない。その後、「操作」が「設定速度変更」になっている。すなわち、ユーザは、設定速度が１／４０００秒から１／２０００秒になるように操作部材１０１を操作している。操作部材１０１が操作された場合には、「調整量」はリセットされる。つまり、０となる。「指示速度」は、１／２００秒のままである。
【００８２】
その後、「操作」は「−１／３シフト」になっている。すなわち、ユーザは、さらに−１／３段シフトさせるように調整部材１０２を操作している。この場合には、制御部２０１は、調整部材１０２による指示を受け付けない。したがって、「調整量」は０のままであり、「指示速度」は１／２００秒のままである。その後、「操作」が「設定速度変更」になっている。すなわち、ユーザは、さらに、操作位置が１／２０００秒から１／１２５秒になるように操作部材１０１を操作している。したがって、指示速度は、操作部材１０１により指示される通り、１／１２５秒となる。その後、「操作」は「−１／３シフト」になっている。すなわち、ユーザは、さらに−１／３段シフトさせるように調整部材１０２を操作している。したがって、「指示速度」は、１／１２５秒を−１／３段シフトさせた１／１６０秒となる。「調整量」は−１／３段となる。
【００８３】
図７は、シャッタ速度に関する制御の他の例を説明する図である。具体的には、図３と同様に、ストロボユニット５０の着脱の推移と、各状態における操作内容、操作位置、調整量、および指示速度とを示す図である。図７においては、図７（ａ）、（ｂ）の２つの具体例を示す。図７の説明においては、図３の説明と同様に、ＦＰ発光機能はオフに設定されている場合を想定する。図中の各項目は、図３で説明した通りである。なお、図７（ａ）、（ｂ）においては、「調整量」は、ストロボユニット５０の装着時の調整量、すなわち「調整量（ＳＢ有り）」と、ストロボユニット５０の取り外し時の調整量、すなわち「調整量（ＳＢ無し）」とに分けて記述されている。図７（ａ）、（ｂ）においては、同調速度は１／２００秒に設定されている。また、図７（ａ）、（ｂ）においては、設定速度は、ストロボユニット５０の着脱によらず、１／２５０秒に設定されている。
【００８４】
図７（ａ）に示す具体例を説明する。まず、ストロボユニット５０がデジタルカメラ１０に装着される前の状況について説明する。図示するように、「操作」は「−」である。調整部材１０２による調整はなされておらず、「調整量（ＳＢ無し）」および「調整量（ＳＢ有り）」は０である。よって、「設定速度」は１／２５０秒である。
【００８５】
次に、ストロボユニット５０がデジタルカメラ１０に装着された場合について説明する。ストロボユニット５０が装着されたので、「操作」は「ＳＢ有効」になっている。調整部材１０２による調整はなされておらず、「調整量（ＳＢ無し）」および「調整量（ＳＢ有り）」は０のままである。ただし、上述のように、＋１／３段を制約量として扱う。ストロボユニット５０がデジタルカメラ１０に装着されると、制御部２０１は、１／２００秒を指示速度として設定する。
【００８６】
その後、「操作」が「＋１／３シフト」になっている。すなわち、ユーザは、＋１／３段シフトさせるように調整部材１０２を操作している。この場合には、制御部２０１は、上記の調整操作を有効な操作として受け入れる。すなわち、「指示速度」は１／１６０秒となる。「調整量（ＳＢ有り）」は、＋１／３段に制約量である＋１／３段を加えて＋２／３段となる。「調整量（ＳＢ無し）」は０のままである。
【００８７】
最後に、ストロボユニット５０がデジタルカメラ１０から取り外された後の状況について説明する。図示するように、「操作」は「−」である。「調整量（ＳＢ無し）」は０のままである。「調整量（ＳＢ有り）」は、リセットさせる。つまり、０となる。設定速度は１／２５０秒に設定されているので、「指示速度」は、操作部材１０１により指示される通り、１／２５０秒となる。
【００８８】
図７（ｂ）に示す具体例を説明する。まず、ストロボユニット５０がデジタルカメラ１０に装着される前の状況について説明する。図示するように、この例においては、「操作」は「＋１／３シフト」になっている。すなわち、調整部材１０２による調整が既になされており、「調整量（ＳＢ無し）」は＋１／３段になっている。よって、「指示速度」は、設定速度である１／２５０秒を＋１／３段シフトさせた１／２００秒となる。なお、「調整量（ＳＢ有り）」は、０である。
【００８９】
次に、ストロボユニット５０がデジタルカメラ１０に装着された場合について説明する。ストロボユニット５０が装着されたので、「操作」は「ＳＢ有効」になっている。「調整量（ＳＢ無し）」は＋１／３段のままであり、「調整量（ＳＢ有り）」は、０のままである。指示速度は、１／２００秒である。その後、「操作」が「＋１／３シフト」になっている。すなわち、ユーザは、＋１／３段シフトさせるように調整部材１０２を操作している。この場合には、制御部２０１は、上記の調整操作を有効な操作として受け入れる。すなわち、「指示速度」は１／１６０秒となる。「調整量（ＳＢ有り）」は、＋１／３段に制約量である＋１／３段を加えて＋２／３段となる。「調整量（ＳＢ無し）」は＋１／３段のままである。
【００９０】
最後に、ストロボユニット５０がデジタルカメラ１０から取り外された後の状況について説明する。「操作」は「−」である。「調整量（ＳＢ無し）」は、＋１／３段のままである。一方で、「調整量（ＳＢ有り）」は、リセットさせる。つまり、０となる。設定速度は１／２５０秒に設定されているので、「指示速度」は、１／２５０秒に「調整量（ＳＢ無し）」である＋１／３段シフトさせた１／２００秒となる。
【００９１】
以上のように、ストロボユニット５０がデジタルカメラ１０から取り外された場合に、「調整量（ＳＢ有り）」をリセットすることにより、ストロボユニット５０が装着される前の調整量と、ストロボユニット５０が取り外された後の調整量とを同一にすることができる。すなわち、ストロボユニット５０が装着される前の調整量を、ストロボユニット５０が取り外された後においても維持することができる。
【００９２】
以上の説明では、操作部材１０１の操作位置が１段刻みに設定されていたが、２段刻み以上に設定されていてもよい。この場合に、操作位置によって指示されるシャッタ速度を基準に±１段以上シフトさせてもよい。また、以上の説明では、操作位置によって指示されるシャッタ速度を基準に±２／３段までシフトさせたが、±１段以上シフトさせてもよい。
【００９３】
以上の説明では、同調速度はデジタルカメラ１０に予め設定された固定値であったが、装着されたストロボユニットに応じて変更されてもよい。より詳細には、制御部２０１は、ストロボユニットがデジタルカメラ１０に装着されると、ストロボユニットとの間で通信を確立する。その後、制御部２０１は、ストロボユニット５０から発光時間を示す情報を取得し、この情報に応じて同調速度を調整する。すなわち、発光時間が長くなるほど、同調速度を下げるように調整する。
【００９４】
以上の説明では、ストロボユニットは、アクセサリユニットとして、デジタルカメラ１０に着脱自在に装着される構成であったが、デジタルカメラ１０に一体的に構成されてもよい。すなわち、ストロボユニットは、デジタルカメラ１０に内蔵されてもよい。この場合には、ストロボユニットがポップアップした場合に、ストロボユニットがデジタルカメラ１０に取り付けられた場合と同等に扱い、ストロボユニットがポップアップしていない場合に、ストロボユニットがデジタルカメラ１０から取り外された場合と同等に扱うとよい。また、以上の説明では、デジタルカメラ１０は、レンズ交換式一眼レフカメラであったが、レンズ一体型のカメラでもよい。この場合には、デジタルカメラの全体を撮像装置とみなすことができる。
【００９５】
露出ステップ幅の設定によっては、露出ステップ幅と調整量のステップ幅とが互いに異なる場合がある。そこで、制御部２０１は、デジタルカメラ１０の露出ステップ幅に合わせて同調速度を調整してもよい。すなわち、シャッタが全開する時間を確保できるのであれば、露出ステップ幅に合うように、同調速度を多少長めに設定してもよい。これにより、調整部材１０２による調整のステップ幅と露出ステップ幅とを同一にすることができる。
【００９６】
以上の説明では、制御部２０１は、例えば図５のステップＳ１０６に示したように、ストロボユニット５０の装着時に、設定速度と同調速度を比較したが、設定速度と既に指示された調整量とによって決定される指示速度と、同調速度とを比較してもよい。
【００９７】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００９８】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の撮影動作フローに関して、便宜上「まず、」、「次に、」等を用いて説明したとしても、この順で実施することが必須であることを意味するものではない。
【符号の説明】
【００９９】
１０  デジタルカメラ、２０  撮影レンズ、２１  光軸、３０  レンズユニット、４０  カメラユニット、５０  ストロボユニット、５１  取付け部、１００  撮像素子、１０１  操作部材、１０２  調整部材、１０３  アクセサリーシュー、１０４  アクセサリーシューカバー、２００  記録媒体、２０１  制御部、２０２  Ａ／Ｄ変換回路、２０３  内部メモリ、２０４  駆動部、２０５  画像処理部、２０６  システムメモリ、２０８  操作部、２０９  表示部、２１０  ＬＣＤ駆動回路、２１１  シャッタユニット、２１２  駆動部、３０１  項目、３０２  項目、３０３  項目、３０４  項目、３０５  項目
【図１】
2015075657.tif 000003
【図２】
2015075657.tif 000004
【図３】
2015075657.tif 000005
【図４】
2015075657.tif 000006
【図５】
2015075657.tif 000007
【図６】
2015075657.tif 000008
【図７】
2015075657.tif 000009